(57)【要約】【課題】デジタルシネマ用プロジェクタに適用して好適なレンズシフト機構を提供できるようにする。【解決手段】レンズブラケット１２の図中左上、右上、左下、および右下のそれぞれには、複数のボールベアリングを有する取付軸２１が取り付けられている一方、フロントプレート１３の図中左上、右上、左下、および右下のそれぞれには、長穴３１が開けられている。４本の取付軸２１のそれぞれが、対応する長穴３１を貫通して、自身が有する複数のボールベアリングのそれぞれによりフロントプレート１３を挟みこむ状態で、ナットとネジとにより取り付けられることで、レンズブラケット２がフロントプレート１３に対して上下駆動可能（z軸の方向に駆動可能）なように取り付けられる。本発明は、プロジェクタに適用可能である。【選択図】図２
2008083637.tif 000002
【特許請求の範囲】
【請求項１】
レンズが取り付けられる第１の部材を、固定された第２の部材に対して上下駆動可能なように取り付けることで、前記レンズの上下駆動を可能とするレンズシフト機構において、
前記第１の部材には、複数のボールベアリングを有する取付軸がＮ本（Ｎは３以上の整数値）取り付けられており、
前記第１の部材における前記Ｎ本の取付軸のそれぞれの取付位置に対応する前記第２の部材のそれぞれの位置には、前記第１の部材の上下方向の駆動範囲以上の長さを上下方向に有する長穴がＮ個開いており、
前記Ｎ本の取付軸のそれぞれが、対応する前記長穴を貫通して、自身が有する前記複数のボールベアリングのそれぞれにより前記第２の部材を挟みこむように取り付けられることで、前記第１の部材が前記第２の部材に対して上下駆動可能なように取り付けられている
レンズシフト機構。
【請求項２】
前記取付軸の前記長穴が貫通される端にはネジが設けられており、前記ネジとナットにより、前記取付軸が前記第２の部材に取り付けられ、前記ナットの締め度合いにより、前記複数のボールベアリングのうちの少なくともひとつの前後方向の位置が可変される
請求項１に記載のレンズシフト機構。
【請求項３】
前記第２の部材には、さらに、複数のボールベアリングが取り付けられており、
前記第１の部材には、さらに、前記第１の部材が前記第２の部材に対して上下駆動可能なように取り付けられるときに前記第２の部材の前記複数のボールベアリングが配置されるレール部材が、前記第２の部材の前記複数のボールベアリングの上下方向の移動が可能であってかつ左右方向の移動が規制されるように取り付けられている
請求項１に記載のレンズシフト機構。
【発明の詳細な説明】
【技術分野】
【０００１】
本発明は、レンズシフト機構に関し、特に、デジタルシネマ用のプロジェクタに適用するのに好適なレンズシフト機構に関する。
【背景技術】
【０００２】
プロジェクタ（例えば特許文献１参照）には、スクリーン上の画像の上下位置を調整するために、レンズを上下駆動するレンズシフト機構が設けられている。
【０００３】
レンズシフト機構においては、レンズが取り付けられる部材（以下、レンズ取付部材と称する）を固定部材に上下駆動可能なように取り付けることで、レンズの上下駆動が可能となる。このように上下駆動可能なように取り付けるための取付手法としては、従来、アリミゾ形式のガイドや、リニアガイド、ボールブッシュなどのガイド部材を使用し、また、レンズの前後位置の調整用にスペーサを使用する、といった手法が採用されていた。また、レンズを上下駆動するための駆動手法としては、ネジとナットによる駆動手法が採用されていた。
【特許文献１】特開平05-040308号公報
【発明の開示】
【発明が解決しようとする課題】
【０００４】
しかしながら、このような従来の手法を採用したレンズシフト機構は、次のような様々な問題点を有し、いわゆるデジタルシネマ用のレンズシフト機構としては不適であった。
【０００５】
即ち、デジタルシネマ用のレンズは、映画館で使用されることから、従来のプロジェクタのレンズと比較すると大きくて重い。従って、単に従来の取付手法を採用しただけでは、潤滑材の劣化やゴミなどによるスベリ摩擦の増大でレンズシフト自体ができなくなったり、レンズシフトができたとしてもそのガタが大きくなる、という問題があった。また、レンズの前後位置の組立調整にスペーサを使う場合には、３点調整が限度であり、スペーサによる調整の困難さ自体とあいまって、組立調整全体が困難となり、かつ、組立調整後の剛性も低くなる、といった問題があった。また、ネジとナットによる従来の駆動方法を採用する場合には、スベリ摩擦により上下駆動にガタが発生するという問題や、その従来の駆動方法を実現するためには、レンズシフト機構の構造自体も複雑となり組立が困難となる、といった問題があった。
【０００６】
本発明は、このような状況に鑑みてなされたものであり、デジタルシネマ用のプロジェクタに適用するのに好適なレンズシフト機構を提供できるようにするものである。
【課題を解決するための手段】
【０００７】
本発明の一側面のレンズシフト機構は、レンズが取り付けられる第１の部材を、固定された第２の部材に対して上下駆動可能なように取り付けることで、前記レンズの上下駆動を可能とするレンズシフト機構であって、前記第１の部材には、複数のボールベアリングを有する取付軸がＮ本（Ｎは３以上の整数値）取り付けられており、前記第１の部材における前記Ｎ本の取付軸のそれぞれの取付位置に対応する前記第２の部材のそれぞれの位置には、前記第１の部材の上下方向の駆動範囲以上の長さを上下方向に有する長穴がＮ個開いており、前記Ｎ本の取付軸のそれぞれが、対応する前記長穴を貫通して、自身が有する前記複数のボールベアリングのそれぞれにより前記第２の部材を挟みこむように取り付けられることで、前記第１の部材が前記第２の部材に対して上下駆動可能なように取り付けられている。
【０００８】
前記取付軸の前記長穴が貫通される端にはネジが設けられており、前記ネジとナットにより、前記取付軸が前記第２の部材に取り付けられ、前記ナットの締め度合いにより、前記複数のボールベアリングのうちの少なくともひとつの前後方向の位置が可変される。
【０００９】
前記第２の部材には、さらに、複数のボールベアリングが取り付けられており、前記第１の部材には、さらに、前記第１の部材が前記第２の部材に対して上下駆動可能なように取り付けられるときに前記第２の部材の前記複数のボールベアリングが配置されるレール部材が、前記第２の部材の前記複数のボールベアリングの上下方向の移動が可能であってかつ左右方向の移動が規制されるように取り付けられている。
【００１０】
本発明の一側面のレンズシフト機構によれば、レンズが取り付けられる第１の部材が、次のようにして、固定された第２の部材に対して上下駆動可能なように取り付けられることで、前記レンズの上下駆動が可能となる。即ち、前記第１の部材には、複数のボールベアリングを有する取付軸がＮ本（Ｎは３以上の整数値）取り付けられており、前記第１の部材における前記Ｎ本の取付軸のそれぞれの取付位置に対応する前記第２の部材のそれぞれの位置には、前記第１の部材の上下方向の駆動範囲以上の長さを上下方向に有する長穴がＮ個開いており、前記Ｎ本の取付軸のそれぞれが、対応する前記長穴を貫通して、自身が有する前記複数のボールベアリングのそれぞれにより前記第２の部材を挟みこむように取り付けられることで、前記第１の部材が前記第２の部材に対して上下駆動可能なように取り付けられる。
【発明の効果】
【００１１】
以上のごとく、本発明によれば、レンズの上下駆動が可能なレンズシフト機構の提供が可能になる。特に、デジタルシネマ用のプロジェクタに適用するのに好適なレンズシフト機構の提供が可能になる。
【発明を実施するための最良の形態】
【００１２】
以下に本発明の実施の形態を説明するが、請求項に記載の構成要件と、明細書または図面における具体例との対応関係を例示すると、次のようになる。この記載は、請求項に記載されている発明をサポートする具体例が、明細書または図面に記載されていることを確認するためのものである。従って、明細書または図面中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１３】
さらに、この記載は、明細書または図面に記載されている具体例に対応する発明が、請求項に全て記載されていることを意味するものではない。換言すれば、この記載は、明細書または図面に記載されている具体例に対応する発明であって、この出願の請求項には記載されていない発明の存在、すなわち、将来、分割出願されたり、補正により追加される発明の存在を否定するものではない。
【００１４】
本発明の一側面のレンズ機構（例えば図１のレンズ機構１）は、
レンズ（例えば図１のレンズ２）を取り付ける第１の部材（例えば図１や図２等のレンズブラケット１２）を、固定された第２の部材（例えば図１や図２等のフロントプレート１３）に対して上下駆動可能なように取り付けることで、前記レンズの上下駆動を可能とするレンズシフト機構において、
前記第１の部材には、複数のボールベアリング（例えば図４や図５等の４本のボールベアリング４２−１乃至４２−４）を有する取付軸がＮ本（Ｎは３以上の整数値）取り付けられており（例えば図７のように取り付けられており）、
前記第１の部材における前記Ｎ本の取付軸のそれぞれの取付位置に対応する前記第２の部材のそれぞれの位置には、前記第１の部材の上下方向の駆動範囲以上の長さを上下方向に有する長穴がＮ個開いており（例えば図８に示されるように４個の長穴３１が開いており）、
前記Ｎ本の取付軸のそれぞれが、対応する前記長穴を貫通して、自身が有する前記複数のボールベアリングのそれぞれにより前記第２の部材を挟みこむように取り付けられることで、前記第１の部材が前記第２の部材に対して上下駆動可能なように取り付けられている（例えば図２や図３の例では、ボールベアリング４２−１，４２−２との組と、ボールベアリング４２−３，４２−４との組とにより、フロントプレート１３の前面と後面とが挟まれるように、中心軸４１が、フロントプレート１３の長穴３１を貫通し、ネジ部４１−Ｎｂに対してナット４４が取り付けられることで、取付軸２１が取り付けられたレンズブラケット１２が、フロントプレート１３に取り付けられている）。
【００１５】
前記取付軸の前記長穴が貫通される端にはネジ（例えば図５のネジ部４１−Ｎｂ）が設けられており、前記ネジとナット（例えば図５のナット４４）により、前記取付軸が前記第２の部材に取り付けられ（例えば図２や図３参照）、前記ナットの締め度合いにより、前記複数のボールベアリングのうちの少なくともひとつの前後方向の位置が可変される（例えば図６の構造では、ナット４４の締め度合いにより、穴５２を貫通した軸５１に取り付けられたボールベアリング４２−３，４２−４の組の前後方向（y軸の方向）の位置が可変される）。
【００１６】
前記第２の部材には、さらに、複数のボールベアリング（例えば図８の３つのボールベアリング３２）が取り付けられており、
前記第１の部材には、さらに、前記第１の部材が前記第２の部材に対して上下駆動可能なように取り付けられるときに前記第２の部材の前記複数のボールベアリングが配置されるレール部材（例えば図７の左右規制用ガイドレール２２）が、前記第２の部材の前記複数のボールベアリングの上下方向の移動が可能であってかつ左右方向の移動が規制されるように取り付けられている。
【００１７】
以下、図面を参照して、本発明の実施の形態について説明する。
【００１８】
図１は、本発明が適用されるレンズシフト機構の一実施の形態の構成を示す斜視図である。
【００１９】
図１の例では、レンズシフト機構１には、デジタルシネマ用のレンズ２が取り付けられている。即ち、本実施の形態では、デジタルシネマ用のプロジェクタの一構成要素として、レンズシフト機構１とレンズ２とが設けられている。図示はしないが、このプロジェクタは、スクリーン上に画像を投影する。このスクリーン上に投影された画像の上下位置を調整するためには、レンズ２を上下駆動する必要がある。このため、本実施の形態では、レンズ２を上下駆動させるべく、レンズシフト機構１が設けられているのである。
【００２０】
なお、図１にはx,y,z軸が描画されているが、レンズ２は、このうちのz軸の方向を上下方向として駆動する。そこで、以下、z軸の正方向（矢印の方向）を上方向と、その逆方向、即ちz軸の負方向を下方向と適宜称する。また、y軸の負方向、即ち、レンズ２の投影方向を前方向と、その逆方向、即ちy軸の正方向を後方向と、適宜称する。この呼称に伴い、各部材のうちの、上から下に向かう方向（z軸の負方向）に見た面を上面と、下から上に向かう方向（z軸の正方向）に見た面を下面と、前から後に向かう方向（y軸の正方向）に見た面を前面と、後から前に向かう方向（y軸の負方向）に見た面を後面と、それぞれ称する。この呼称は、別の図面を用いた説明でも同様に用いるとする。
【００２１】
レンジスフト機構１には、設置台１１、レンズブラケット１２、フロントプレート１３、バックプレート１４、および連結棒１５が設けられている。
【００２２】
上下方向に対して垂直方向に、即ち、xy平面に平行に、設置台１１が配置される。その設置台１１の上面には、図１中右から順に（y軸の負方向に）、バックプレート１４とフロントプレート１３とが、上下方向（z軸の方向）に平行に離間して固定配置される。
【００２３】
また、フロントプレート１３の後面とバックプレート１４の前面とは、前後方向（y軸の方向）に平行な４本の連結棒１５により結合されている。これにより、レンズシフト機構１の剛性は増すことになる。
【００２４】
即ち、レンズ２は、デジタルシネマ用であることから、大きくて重い。具体的には例えば、家庭用のレンズとしては、口径３０乃至４０ｍｍ程度の小さくて軽いレンズが使われるのに対して、デジタルシネマ用のレンズ２としては、口径１７０ｍｍ程度の大きな、かつ、重量が１０乃至２０ｋｇ程度の重たいレンズが使われる。このため、レンズシフト機構１には、強剛性が求められ、その剛性を増すべく様々な工夫がなされている。その工夫のうちの１つが、４本の連結棒１５を設けることである。
【００２５】
その他の剛性を増すための工夫、例えば、取付軸２１による４点支持（図２等参照）等の工夫については後述する。
【００２６】
以上説明したように、設置台１１、フロントプレート１３、およびバックプレート１４は、プロジェクタが映画館に設置された場合には固定されて駆動しない。
【００２７】
これに対して、レンズブラケット１２は、レンズ２用のレンズ取付部材であって、レンズ２とともに上下方向（z軸の方向）に駆動可能となるように、固定部材であるフロントプレート１３に取り付けられる。
【００２８】
以下、レンズブラケット１２とフロントプレート１３とについて、さらに詳しく説明していく。
【００２９】
図２は、図１の斜視図に対して、レンズ２、バックプレート１４、および４本の連結棒１５を除外した場合のレンズシフト機構１の構成例を示す斜視図である。また、図３は、図２の上方部分の拡大図である。
【００３０】
図２に示されるように、レンジスシフト機構１には、さらに、モータ１６、ギア１７、ウォームギア１８が設置台１１の上面に設けられ、また、ウォームギア１８の上にはウォームホイール１９が設けられており、これらの部材等により、レンズブラケット１２が上下方向に駆動することになる。即ち、後述する図９に示されるように、これらの部材が、レンズブラケット１２を上下方向に駆動するための駆動機構の一構成要素である。ただし、かかる駆動機構の詳細については、図９乃至図１２を参照して後述する。
【００３１】
フロントプレート１３の前面および後面のうちの、前面側から見て（y軸の正方向に見て）、左上方、右上方、左下方、および右下方には、上下方向（z軸の方向）が長く左右方向（x軸の方向）が短い穴３１（以下、長穴３１と称する）がそれぞれ開いている。一方、レンズブラケット１２の後面のうちの、前面側から見て、左上方、右上方、左下方、および右下方には、取付軸２１がそれぞれ設けられている。
【００３２】
図２や図３に示されるように、この４つの取付軸２１のそれぞれが、対応する４つの長穴３１のそれぞれに挿入されて取り付けられることで、レンズブラケット１２は、上下方向に駆動可能となるように、フロントプレート１３に取り付けられることになる。即ち、本実施の形態では、レンズブラケット１２は、取付軸２１の４点支持により、フロントプレート１３に取り付けられる。この場合、４つの取付軸２１のそれぞれは、長穴３１の上下方向の長さの範囲内で、上下方向に自在に移動することができるので、結果として、レンズブラケット１２は、長穴３１の上下方向の長さの範囲内で、上下駆動が可能となる。換言すると、長穴３１の上下方向の長さは、レンズブラケット１２の駆動範囲以上、例えば後述する図１１の最下位置Ｌ乃至最上位置Ｈの範囲以上の長さがあればよい。
【００３３】
さらに以下、図４乃至図６を参照して、取付軸２１についてより詳細に説明する。
【００３４】
図４は、前面側から見て、即ちy軸の正方向に見て、レンズブラケット１２の後面の右上方に取り付けられた取付軸２１の構成例を示す斜視図である。また、図５は、レンズブラケット１２から取り外された取付軸２１の構成例を示す上面図である。
【００３５】
図４と図５に示されるように、取付軸２１は、中心軸４１、４つのボールベアリング（車輪）４２−１乃至４２−４、ナット４３、およびナット４４を含むように構成されている。即ち、中心軸４１の両端には、ネジ部４１−Ｎｆとネジ部４１−Ｎｂとがそれぞれ設けられており、ナット４３はネジ部４１−Ｎｆに取り付けられ、ネット４４はネジ部４１−Ｎｂに取り付けられる。そして、ネジ部４１−Ｎｆとネジ部４１−Ｎｂとの間、即ち、中心軸４１の中央部には、４つのボールベアリング（車輪）４２−１乃至４２−４が取り付けられる。具体的には、中心軸４１の中央部のうちの、ネジ部４１−Ｎｆ側（前側）には、ボールベアリング４２−１，４２−２が上から見て左右対称に取り付けられ、ネジ部４１−Ｎｂ側（後側）には、ボールベアリング４２−３，４２−４が上から見て左右対称に取り付けられる。
【００３６】
そして、図４に示されるように、ネジ部４１−Ｎｆとナット４３により、取付軸２１はレンズブラケット１２の後面に取り付けられる。
【００３７】
また、図２と図３とから明らかなように、ボールベアリング４２−１，４２−２との組とボールベアリング４２−３，４２−４との組とによりフロントプレート１３の前面と後面とが挟まれるようにして、中心軸４１が長穴３１を貫通し、フロントプレート１３の後面側からナット４４がネジ部４１−Ｎｂに取り付けられることで、取付軸２１がフロントプレート１３に取り付けられる。即ち、このようにして４つの取付軸２１のそれぞれがフロントプレート１３に取り付けられることで、レンズブラケット１２が、フロントプレート１３に対して上下駆動可能なように取り付けられることになる。
【００３８】
この場合、ナット４４の締め度合いを可変することによって、ボールベアリング４２−３，４２−４の組の前後方向（中心軸４１の長さ方向であって、y軸の方向）の位置の微調整を行うことが可能になる。この微調整は、４つの取付軸２１のそれぞれにおいて他とは単独して実行でき、さらに、その精度はそれぞれ、デジタルシネマ用レンズ２の焦点合わせに必要な数十ミクロンメータ以下とされている。従って、レンズブラケット１２のフロントプレート１３に対する取付けを、即ち、レンズ２の前後位置の組立調整を、デジタルシネマに必要な精度を保ったまま簡単に行うことが可能になる。
【００３９】
なお、この微調整が行える原理は次の通りである。即ち、図６に示されるように、中心軸４１に空けられた穴５２を軸５１が貫通し、この軸５１に対して、ボールベアリング４２−３（図６には図示せず）とボールベアリング４２−４とが中心軸４１を挟み込むこむように取り付けられる。また、穴５２の前後方向（中心軸４１の長さ方向であって、y軸の方向）の長さが、軸５１の直径よりも長くなるように、中心軸４１が構成されている。これにより、軸５１は、即ち、その軸５１に取り付けられたボールベアリング４２−３，４２−４の組は、その穴５２の長さの範囲内で前後方向に自在に移動可能となる。そこで、この軸５１を前後方向に駆動させる部材として、ナット４４が設けられているのである。
【００４０】
即ち、ナット４４が締められる程、ナット４４自身が、前方向（y軸の負方向）に、即ち、ナット４４から見てボールベアリング４２−３，４２−４の組の方向に移動していくので、そのナット４４の前方向の移動に伴って、軸５１に取り付けられたボールベアリング４２−３，４２−４の組も前方向に移動していくのである。これに対して、ナット４４が緩められる程、ナット４４自身が、後方向（y軸の正方向）に、即ち、ナット４４から見てボールベアリング４２−３，４２−４の組とは逆方向に移動していくので、そのナット４４の後方向の移動に伴って、軸５１に取り付けられたボールベアリング４２−３，４２−４の組も後方向に移動していくのである。
【００４１】
このように、レンズブラケット１２のフロントプレート１３に対する取付けは、レンズブラケット１２側の４本の取付軸２１のそれぞれが、フロントプレート１３側の４つの長穴３１のそれぞれに挿入されて取り付けられることによって実現される。ただし、これでけでは、単に、レンズブラケット１２が上下方向に駆動可能な状態になされただけであり、その他、レンズブラケット１２を上下方向に実際に駆動するための部材や、レンズブラケット１２の上下駆動時のガタ防止用の部材等を、レンズブラケット１２やフロントプレート１３に設ける必要がある。以下、このような部材の一例を、図７と図８を参照して説明する。
【００４２】
図７は、レンズブラケット１２の後面の構成例を示す斜視図である。図８は、フロントプレート１３の前面の構成例を示す斜視図である。ただし、図８の例では、フロントプレート１３は、バックプレート１４とともに設置台１１に固定されている状態である。
【００４３】
図７に示されるように、レンズブラケット１２の後面には、上述した４つの取付軸２１に加えてさらに、後面側から見て（y軸の負方向に見て）、右上方と右下方の取付軸２１の間に左右規制用ガイドレール２２が設けられ、また、左下方と右下方の取付軸２１の間に上下駆動用ガイドレール２３が設けられている。
【００４４】
また、図８に示されるように、フロントプレート１３の前面には、上述した４つの長穴３１に加えてさらに、前面側から見て（y軸の正方向に見て）、左上方と左下方の長穴３１の間に、換言すると、レンズブラケット１２における左右規制用ガイドレール２２の配置位置に対応する位置に３つのボールベアリング３２が設けられ、また、左下方と右下方の長穴３１の間に、換言すると、レンズブラケット１２における上下駆動用ガイドレール２３の配置位置に対応する位置に、偏芯軸３３−ａを有する回転板３３、その偏芯軸３３−ａに組み込まれるボールベアリング３４、ＳＷ(Switch)蹴飛ばし板３５、および、リミッタスイッチ３６が設けられている。
【００４５】
このような構成の図７のレンズブラケット１２の後面と図８のフロントプレート１３の前面とを対向させて、上述したように４つの取付軸２１を対応する長穴３１にそれぞれ挿入してフロントプレート１３に取り付けることで、図２等に示されるように、レンズブラケット１２がフロントプレート１３に対して上下駆動可能なように取り付けられることになる。
【００４６】
この場合、図８の３つのボールベアリング３２が図７の左右規制用ガイドレール２２内に配置され、図８の偏芯軸３３−ａに組み込まれたボールベアリング３４が上下駆動用ガイドレール２３内に配置される。
【００４７】
これにより、図８の３つのボールベアリング３２は、図７の左右規制用ガイドレール２２内において上下方向（z軸の方向）に自在に移動できる一方、左右方向（x軸の方向）の移動は左右規制用ガイドレール２２により規制されることになる。その結果、レンズブラケット１２が、後述する図９等の駆動機構により上下駆動する場合、左右方向へのガタはほぼ皆無となる。即ち、図８の３つのボールベアリング３２と図７の左右規制用ガイドレール２２とが、レンズブラケット１２の上下駆動時のガタ防止用部材のひとつである。
【００４８】
また、図８の偏芯軸３３−ａに組み込まれたボールベアリング３４は、図７の上下駆動用ガイドレール２３内においては、左右方向（x軸の方向）に自在に移動できる一方、上下方向（ｚ軸の方向）の移動は上下駆動用ガイドレール２３により規制されることになる。そして、上下駆動用ガイドレール２３は、上下方向に駆動可能な状態のレンズブラケット１２に固着されている。このことは、図８の偏芯軸３３−ａに組み込まれたボールベアリング３４が上下方向に移動しようとすると、それに伴い、上下駆動用ガイドレール２３も上下方向に移動し、さらには、上下駆動用ガイドレール２３が固着されたレンズブラケット１２も上下方向に移動しようとする、ということを意味している。
【００４９】
即ち、詳細については図９乃至図１２を参照して後述するが、図８の回転板３３が回転すると、その回転に伴って偏芯軸３３−ａの上下方向の位置は移動するので、さらに、この移動に伴って、レンズブラケット１２も上下方向に移動することになる。
【００５０】
このように、図８のボールベアリング３４が組み込まれた偏芯軸３３−ａを有する回転板３３と、そのボールベアリング３４の動きをガイドする上下駆動用ガイドレール２３とが、レンズブラケット１２を上下方向に実際に駆動するための部材のひとつである。
【００５１】
なお、ＳＷ蹴飛ばし板３５とリミッタスイッチ３６との機能については、図１２を参照して後述する。また、後述するように、図８のボールベアリング３４が組み込まれた偏芯軸３３−ａを有する回転板３３、ＳＷ蹴飛ばし板３５、およびリミッタスイッチ３６もまた、図９に示されるように、レンズブラケット１２を上下方向に駆動するための駆動機構の一構成要素である。
【００５２】
即ち、図９は、レンズブラケット１２を上下方向に駆動するための駆動機構の構成例を示す斜視図である。
【００５３】
図９に示されるように、この駆動機構は、図９には図示しない設置台１１（図２等参照）の前面であって、図９に図示しないフロントプレート１３に対して後方（y軸の正方向）に、モータ１６とウォームギア１８とが左右方向（x軸の方向）に平行に設置される。このとき、モータ１６の軸と、ウォームギア１８の軸に取り付けられたギア１７とが噛み合わされる。また、ウォームホイール１９は、ウォームギア１８と噛み合わされるようにその上方（z軸の正方向）に設置される。そして、ウォームホイール１９の中心と、ＳＷ蹴飛ばし板３５と回転板３３の中心とが、フロントプレート１３の前後面を挟むように（図２や図８参照）、軸２０に固着される。また、ＳＷ蹴飛ばし板３５の下方には、リミッタスイッチ３６が設けられている。
【００５４】
この駆動機構の動作は、次の通りとなる。即ち、モータ１６の軸のyz平面上の回転に伴い、ギア１７、ウォームギア１８、および、ウォームホイール１９を介して、回転板３３がxz平面上を回転する。すると、偏芯軸３３−ａは、回転板３３の中心の周りを円運動して、その上下方向（z軸の方向）の位置を可変させることになる。
【００５５】
なお、ＳＷ蹴飛ばし板３５とリミッタスイッチ３６については、図１２を参照して後述する。
【００５６】
このような駆動機構の動作によって、レンズブラケット１２が、図１０や図１１に示されるよう上下方向に駆動することになる。
【００５７】
即ち、上述したように、偏芯軸３３−ａに組み込まれたボールベアリング３４は、上下駆動用ガイドレール２３内に上下方向の移動が規制されるように配置される。また、上下駆動用ガイドレール２３はレンズブラケット１２に固着されている。これにより、偏芯軸３３−ａに組み込まれたボールベアリング３４が上下方向に移動しようとすると、それに伴い、レンズブラケット１２も上下方向に駆動することになる。
【００５８】
この場合、モータ１６の回転に従って、偏芯軸３３−ａは、図１０に示される位置Ｌを最下位置として、図１０と図１１とに示される位置Ｃを中心位置として、図１１に示される位置Ｈを最上位置として、上下方向に移動することになる。従って、レンズブラケット１２もまた、図１１に示される最下位置Ｌ乃至最上位置Ｈに対応する範囲内で、上下方向に移動することになる。
【００５９】
即ち、レンズブラケット１２の上下方向の位置は、モータ１６の回転角度に応じた位置となる。このモータ１６の回転角度、即ち、レンズブラケット１２の上下方向の位置は、図示せぬモータドライバや制御装置等の制御により自在に調整可能である。換言すると、レンズブラケット１２を上下方向に移動させる場合、その移動距離に応じた分だけモータ１６を回転させるような制御を行えばよい。
【００６０】
ここで注目すべき点は、このレンズブラケット１２と、他の部材（主にフロントプレート１３）との接触は、取付軸２１のボールベアリング４２−１乃至４２−４、フロントプレート１３側の３つのボールベアリング３２、および、回転板３３の偏芯軸３３−ａに組み込まれたボールベアリング３４のみであるという点、即ち、レンズブラケット１２の上下駆動は、全て転がり摩擦だけを有しており、スベリ摩擦が全くないという点である。これにより、従来のネジとナットによるレンズ上下駆動機構と比較して、レンズブラケット１２に取り付けられたレンズ２（図１参照）を、ガタ無く安定してかつ精度よく、上下駆動させることができるようになる。
【００６１】
さらに、上述したように、フロントプレート１３側の３つのボールベアリング３２は、左右規制用ガイドレール２２内に左右方向の移動が規制されるように配置されているので、レンズブラケット１２の上下駆動時の左右方向のガタもほぼ無くなる。
【００６２】
そして、レンズブラケット１２の上下駆動が完了したとき、即ち、モータ１６の回転が停止したときには、ウォームギア１８とウォームホイール１９とが有するいわゆるセルフロック機能により、レンズブラケット１２の上下方向の位置は変化せずに保持されるのである。
【００６３】
さらに、モータ１６の回転制御の不調等により、モータ１６が停止せずに回転し続けても、図８の偏芯軸３３−ａに組み込まれたボールベアリング３４は、図７の上下駆動用ガイドレール２３内において左右方向に往復運動し、その結果、レンズブラケット１２は上下方向に往復運動するだけである。即ち、従来のレンズシフト機構では、レンズ取付部材（本実施の形態のレンズブラケット１２に対応する従来の部材）が移動極限まで上下駆動した後も、モータがさらに回転し続けようとすると、モータが過負荷となって、例えばモータが焼き付いてしまう、という問題が発生してしまう。これに対して、本実施の形態のレンズシフト機構１では、モータ１６が回転し続けても、レンズブラケット１２は、所定の駆動範囲を上下方向に往復運動するだけであり、即ち、所定の駆動範囲を超えて上または下方向にさらに移動してしまうことは機構上ありえないので、モータの過負荷は発生せず、かかる問題も発生しない。
【００６４】
以上説明したように、本発明が適用されるレンズシフト機構１をデジタルシネマ用のプロジェクタに適用することで、従来のレンズシフト機構をそのままデジタルシネマ用のプロジェクタに適用したときに発生してしまう種々の問題点、即ち、［発明が解決しようとする課題］で上述した種々の問題点を解決できるか、または問題点自体発生しなくなる。このように、本発明が適用されるレンズシフト機構１をデジタルシネマ用に適用すると好適である。
【００６５】
なお、モータ１６が回転し続けること自体は異常現象のため、かかる異常現象が発生したときに、その異常現象を停止すべく、図１２に示されるように、ＳＷ蹴飛ばし板３５とリミッタスイッチ３６とが設けられているのである。
【００６６】
即ち、ＳＷ蹴飛ばし板３５は、リミッタスイッチ３６を蹴飛ばすためのツメ３５−ａを有しており、このツメ３５−ａがリミッタスイッチ３６を蹴飛ばすと、リミッタスイッチ３６が動作し、即ち、リミッタスイッチ３６のスイッチ状態がオフ状態からオン状態となり、モータ１６の回転が強制的に止まるようになされている。即ち、リミッタスイッチ３６のスイッチ状態がオフ状態からオン状態となることが、モータ１６の回転停止指令発行の一条件となされているのである。
【００６７】
なお、このツメ３５−ａの個数や取付け位置は、特に限定されない。ただし、図１０と図１１とから容易にわかることであるが、レンズブラケット１２が最下位置から最上位置までに移動するとき、即ち、回転板３３の偏芯軸３３−ａが最下位置Ｌから最上位置Ｈまで移動するとき、またはその逆方向に移動するとき、回転板３３は１８０度回転する。そこで、本実施の形態では、回転板３３の回転角度が０度と１８０度とであるときの検知ができるように、ツメ３５−ａがつけられている。即ち、回転板３３の回転角度が０度と１８０度となったときに、ツメ３５−ａがリミッタスイッチ３６を蹴飛ばすように構成されている。
【００６８】
このように、ＳＷ蹴飛ばし板３５とリミッタスイッチ３６とが有する機能とは、回転板３３の回転角度が制限角度（上述した例では０度と１８０度）になったときに、モータ１６の回転を止める機能、または、止めるための一助となる動作を行う機能である。換言すると、かかる機能を有するものであれば、ＳＷ蹴飛ばし板３５とリミッタスイッチ３６とを特に採用する必要は無い。具体的には例えば、ＳＷ蹴飛ばし板３５の代わりに、回転板３３の回転角度を所定の制限角度までに制限する制限部材を採用し、リミッタスイッチ３６の代わりに、例えば、回転板３３の回転角度が制限角度になったことを検出する検出機構を採用するようにしてもよい。
【００６９】
以上、本発明が適用されるレンズシフト機構の一実施の形態として、図１乃至図１２に示されるレンズシフト機構１について説明したが、本発明は、レンズシフト機構１に限定されず、様々な実施の形態を取ることが可能である。
【００７０】
例えば図示はしないが、回転板３３の回転角度を検出する検出器、具体的には例えばポテンションメータをさらに設けることで、レンズブラケット１２の上下シフトの調整中においては、その上下位置をユーザに呈示することもできる。具体的には例えば、所定の画面上に上下位置を表示したり、上下位置を示すメッセージを音声として出力することも可能になる。
【００７１】
さらにまた、その調整後においては、調整時点のポテンションメータの値を図示せぬメモリ等に調整値として保持しておくことも可能になる。例えば、スクリーン上に投影され得る映像コンテンツは多種多様であって、映画についていえば「Cine-scope」,「Vista」といったアスペクトが異なる種類に大別され、それぞれについてのレンズブラケット１２の上下シフト調整が必要になる。この場合、プロジェクタの映画館の設置時等における初回の各種調整において、「Cine-scope」,「Vista」それぞれについて、レンズブラケット１２の上下シフト調整を行い、それぞれの調整値をメモリに保持しておくことができる。これにより、その後、映画の上映中に、「Cine-scope」と「Vista」とのうちの一方から他方へ切替える必要がでてきたときにも、そのメモリに保持された調整値を目標値として入力するだけで、新たな上下シフト調整を行う必要は無く、上下シフトの位置変更が容易にできるようになる。
【００７２】
また、上述したように、基本的に、モータ１６の回転制御を行うだけで、レンズブラケット１２の上下シフト調整ができるので、例えば図示はしないが、モータ１６の回転制御を指令するためのリモートコントローラを用意することで、ユーザは、レンズシフト機構１が搭載されたプロジェクタの設置位置から離れた場所から、例えばスクリーン付近から、リモードコントローラを操作して、レンズブラケット１２の上下シフト調整を行うことが可能になる。さらに、このリモートコントローラに、レンズブラケット１２の上下シフト調整のみならず、その他の調整に必要な各種機能、例えばレンズ２のフォーカス機能等を搭載させることで、より一段と簡便な調整が可能になる。
【００７３】
また、レンズブラケット１２の上下シフトを行うための駆動機構は、図９の例に限定されず、例えば図示はしないが、ユーザが手動でレンズブラケット１２を上下シフトさせる駆動機構を採用してもよい。
【００７４】
また例えば、上述した例では、レンズ２用のレンズ取付部材であるレンズブラケット１２を、固定部材であるフロントプレート１３に取付ける部材としては、４つの取付軸２１が採用された。ただし、この取付軸２１の個数は、４個に限定されず、任意の個数でよい。
【００７５】
換言すると、従来においては、レンズ取付部材を固定部材に取付けるための部材としては、スペーサが採用されていた。このスペーサは、調整が困難であり、また、４点調整は実質不可能であった。即ち、従来のレンズシフト機構では、レンズの前後の微調整としては、スペーサによる３点調整までしかできなかった。これにより、従来のレンズシフト機構は、剛性が低く、そのレンズの前後の組立調整が困難であった。
【００７６】
これに対して、ボルトをまわすだけの簡単な調整ができ、かつ簡素な構成の取付軸２１を採用することで、従来不可能であった４点調整、さらにはそれ以上の多数の点の調整が容易に可能になり、その結果、レンズシフト機構１は、剛性が高くなり、組立調整も容易かつ精度よく行えるようになる。また、取付軸２１は簡素な構成であり、固定部材側も長穴３１（図８等参照）を開けるだけでよいので、従来に比較してコストの低減も図れるようになる。
【図面の簡単な説明】
【００７７】
【図１】本発明が適用されるレンズシフト機構の構成例を示す斜視図である。
【図２】図１に対して、レンズ、バックプレート、および４本の連結棒を除外した場合のレンズシフト機構の構成例を示す斜視図である。
【図３】図２の上方部分の拡大図である。
【図４】図１のレンズシフト機構のうちの、レンズブラケットに取り付けられた取付軸の構成例を示す斜視図である。
【図５】図１のレンズシフト機構のうちの、レンズブラケットから取り外された取付軸の構成例を示す上面図である。
【図６】図１のレンズシフト機構のうちの、２つのボールベアリングを取り外した取付軸の構成例を示す斜視図である。
【図７】図１のレンズシフト機構のうちの、レンズブラケットの後面の構成例を示す斜視図である。
【図８】図１のレンズシフト機構のうちの、フロントプレートの前面の構成例を示す斜視図である。
【図９】図１のレンズシフト機構のうちの、レンズブラケットを上下方向に駆動する駆動機構の構成例を示す斜視図である。
【図１０】図１のレンズシフト機構のうちの、レンズブラケットの上下方向の駆動動作を説明する図であって、レンズブラケットが最下位置に存在する場合の側面図である。
【図１１】図１のレンズシフト機構のうちの、レンズブラケットの上下方向の駆動動作を説明する図であって、レンズブラケットが最下位置に存在する場合の側面図である。
【図１２】図１のレンズシフト機構のうちの、ＳＷ蹴飛ばし板とリミッタスイッチとの構成例を示す斜視図である。
【符号の説明】
【００７８】
１  レンズシフト機構，  ２  レンズ，  １１  設置台，  １２  レンズブラケット，  １３  フロントプレート，  １４  バックプレート，  １５  連結棒，  １６  モータ，  １７  ギア，  １８  ウォームギア，  １９  ウォームホイール，  ２０  軸，  ２１  取付軸，  ２２  左右規制用ガイドレール，  ２３  上下駆動用ガイドレール，  ３１  長穴，  ３２  ボールベアリング，  ３３  回転板，  ３３−ａ  偏芯軸，  ３４  ボールベアリング，  ３５  ＳＷ蹴飛ばし板，  ３５−ａ  ツメ，  ３６  リミッタスイッチ
【図１】
2008083637.tif 000003
【図２】
2008083637.tif 000004
【図３】
2008083637.tif 000005
【図４】
2008083637.tif 000006
【図５】
2008083637.tif 000007
【図６】
2008083637.tif 000008
【図７】
2008083637.tif 000009
【図８】
2008083637.tif 000010
【図９】
2008083637.tif 000011
【図１０】
2008083637.tif 000012
【図１１】
2008083637.tif 000013
【図１２】
2008083637.tif 000014